(57)【要約】【課題】  業務における各プロセスの着手日と完了日を最適化して、業務の生産性を高めることができるプロセス管理装置を得ることを目的とする。【解決手段】  プロセス情報管理ＤＢ１に記憶されているプロセス情報の中から作成依頼受付部３により作成依頼が受け付けられた業務に対応するプロセス情報を選択するプロセス情報選択部４を設け、業務の完了期限を越えない条件の下で、そのプロセス情報選択部４により選択されたプロセス情報を参照して各プロセスの着手日と完了日を設定する。【選択図】        図１
2006228123.tif 000002
【特許請求の範囲】
【請求項１】
複数のプロセスから構成される各種の業務毎に、各プロセスの実行順序と見積り工数を示すプロセス情報を記憶するプロセス情報記憶手段と、業務の日程計画の作成依頼を受け付ける作成依頼受付手段と、上記プロセス情報記憶手段に記憶されているプロセス情報の中から上記作成依頼受付手段により作成依頼が受け付けられた業務に対応するプロセス情報を選択するプロセス情報選択手段と、業務の完了期限を越えない条件の下で、上記プロセス情報選択手段により選択されたプロセス情報を参照して各プロセスの着手日と完了日を設定する計画設定手段とを備えたプロセス管理装置。
【請求項２】
計画設定手段は、同一の担当者が複数のプロセスを同一期間中に実行することがないように、各プロセスの着手日と完了日を設定することを特徴とする請求項１記載のプロセス管理装置。
【請求項３】
計画設定手段は、作成依頼受付手段により複数の業務の日程計画の作成依頼が受け付けられた場合、同一の担当者が複数の業務におけるプロセスを同一期間中に実行することがないように、複数の業務における各プロセスの着手日と完了日を設定することを特徴とする請求項２記載のプロセス管理装置。
【請求項４】
計画設定手段は、担当者の技術レベルを考慮して、各プロセスの着手日と完了日を設定することを特徴とする請求項１から請求項３のうちのいずれか１項記載のプロセス管理装置。
【請求項５】
計画設定手段は、プロセス情報選択手段により選択されたプロセス情報の変更を受け付けることを特徴とする請求項１から請求項４のうちのいずれか１項記載のプロセス管理装置。
【請求項６】
計画設定手段は、プロセス情報選択手段により選択されたプロセス情報にプロセスの分岐点が含まれている場合、その分岐点におけるプロセスの分岐方向の選択を受け付けることを特徴とする請求項１から請求項４のうちのいずれか１項記載のプロセス管理装置。
【請求項７】
プロセス情報選択手段が複数のプロセス情報を選択し、計画設定手段が上記プロセス情報選択手段により選択された複数のプロセス情報を参照して各プロセスの着手日と完了日を設定することを特徴とする請求項１から請求項４のうちのいずれか１項記載のプロセス管理装置。
【請求項８】
計画設定手段は、各プロセスの着手日と完了日の設定案を複数通り提示し、所望の設定案の選択を受け付けることを特徴とする請求項１から請求項７のうちのいずれか１項記載のプロセス管理装置。
【請求項９】
計画設定手段は、各プロセスの着手日と完了日を設定したのち、その着手日と完了日の再設定を受け付けることを特徴とする請求項１から請求項８のうちのいずれか１項記載のプロセス管理装置。
【請求項１０】
計画設定手段により着手日と完了日が設定された各プロセスの進捗状況を表示する進捗状況表示手段を設けたことを特徴とする請求項１から請求項９のうちのいずれか１項記載のプロセス管理装置。
【発明の詳細な説明】
【技術分野】
【０００１】
この発明は、業務を構成する各プロセスの着手日と完了日を設定するプロセス管理装置に関するものである。
【背景技術】
【０００２】
企業における製品設計は、毎年少しずつ訴求ポイントを変えた製品を開発して世に送り出し、顧客に製品メリットを訴えていく開発設計方式と、顧客の要求により個別に受注仕様を定め、標準品をベースにして受注仕様を満足する設計を実施して製品を提供する受注設計方式とがある。
開発設計方式及び受注設計方式のいずれの設計方式を採用する場合でも、生産性を高めるには、その設計業務における複数のプロセスの実行順序を最適化する必要性があり、各プロセスの着手日と完了日を最適化することが重要である。
【０００３】
しかし、今日において、設計業務における複数のプロセスの着手日と完了日を設定する装置は存在しない。
ただし、以下に示す特許文献１には、会議のタイプを選択すると、その選択した会議のプロセスを表示し、そのプロセスの日時の入力を受け付けるプロセス管理装置が開示されている。
なお、上記のプロセス管理装置は、日時の入力が完了すると、その入力内容にしたがって会議の進行予定表を作成する。
【０００４】
【特許文献１】特開２０００−２８６８４４号公報（段落番号［００６２］から［００６８］、図９）
【発明の開示】
【発明が解決しようとする課題】
【０００５】
従来のプロセス管理装置は以上のように構成されているので、会議（業務）のプロセスを表示することができるが、各プロセスの日時自体はユーザが入力しなければならない。このため、業務における各プロセスの実行順序や着手日などが最適化されているとは限らず、業務の生産性を高めることができないことがあるなどの課題があった。
【０００６】
この発明は上記のような課題を解決するためになされたもので、業務における各プロセスの着手日と完了日を最適化して、業務の生産性を高めることができるプロセス管理装置を得ることを目的とする。
【課題を解決するための手段】
【０００７】
この発明に係るプロセス管理装置は、プロセス情報記憶手段に記憶されているプロセス情報の中から作成依頼受付手段により作成依頼が受け付けられた業務に対応するプロセス情報を選択するプロセス情報選択手段を設け、業務の完了期限を越えない条件の下で、そのプロセス情報選択手段により選択されたプロセス情報を参照して各プロセスの着手日と完了日を設定するようにしたものである。
【発明の効果】
【０００８】
この発明によれば、プロセス情報記憶手段に記憶されているプロセス情報の中から作成依頼受付手段により作成依頼が受け付けられた業務に対応するプロセス情報を選択するプロセス情報選択手段を設け、業務の完了期限を越えない条件の下で、そのプロセス情報選択手段により選択されたプロセス情報を参照して各プロセスの着手日と完了日を設定するように構成したので、業務における各プロセスの着手日と完了日を最適化して、業務の生産性を高めることができる効果がある。
【発明を実施するための最良の形態】
【０００９】
実施の形態１．
図１はこの発明の実施の形態１によるプロセス管理装置を示す構成図であり、図において、プロセス情報管理ＤＢ１は複数のプロセスから構成される各種の業務毎に、各プロセスの実行順序と見積り工数を示すプロセス情報を記憶しているデータベースである。なお、プロセス情報管理ＤＢ１はプロセス情報記憶手段を構成している。
マンマシンＩ／Ｆ２は例えばキーボードやマウスなどのインタフェースである。作成依頼受付部３はユーザがマンマシンＩ／Ｆ２を操作して、業務の日程計画の作成依頼を要求すると、業務の日程計画の作成依頼を受け付ける機能を備えている。なお、作成依頼受付部３は作成依頼受付手段を構成している。
プロセス情報選択部４はプロセス情報管理ＤＢ１に記憶されているプロセス情報の中から、作成依頼受付部３により作成依頼が受け付けられた業務に対応するプロセス情報を選択する機能を備えている。なお、プロセス情報選択部４はプロセス情報選択手段を構成している。
【００１０】
プロセス情報変更部５はユーザがマンマシンＩ／Ｆ２を操作して、プロセス情報の変更要求を入力すると、プロセス情報選択部４により選択されたプロセス情報の変更を受け付ける機能を備えている。
分岐方向選択部６はユーザがマンマシンＩ／Ｆ２を操作して、分岐方向の選択要求を入力すると、プロセス情報選択部４により選択されたプロセス情報の分岐点におけるプロセスの分岐方向の選択を受け付ける機能を備えている。
計画設定部７は業務の完了期限を越えない条件の下で、プロセス情報選択部４により選択されたプロセス情報、あるいは、プロセス情報変更部５により変更されたプロセス情報、あるいは、分岐方向選択部６により分岐方向が選択されたプロセス情報を参照して、各プロセスの着手日と完了日を示す日程計画を設定し、その日程計画を日程計画管理ＤＢ８に登録する機能を備えている。
日程計画管理ＤＢ８は各プロセスの着手日と完了日を示す日程計画や、各プロセスの進捗状況を記憶するデータベースである。
なお、計画設定部５、プロセス情報変更部６、分岐方向選択部７及び日程計画管理ＤＢ８から計画設定手段が構成されている。
【００１１】
進捗状況提示部９はユーザがマンマシンＩ／Ｆ２を操作して、各プロセスの進捗状況を入力すると、各プロセスの進捗状況を日程計画管理ＤＢ８に登録する一方、ユーザがマンマシンＩ／Ｆ２を操作して、各プロセスの進捗状況の表示要求を入力すると、日程計画管理ＤＢ８に記録されている各プロセスの進捗状況を取得し、表示処理部１０を制御して、各プロセスの進捗状況をディスプレイ１１に表示する。
表示処理部１０はプロセス情報選択部４により選択されたプロセス情報が示すプロセスや、各プロセスの進捗状況などをディスプレイ１１に表示する機能を備えている。
なお、進捗状況提示部９、表示処理部１０及びディスプレイ１１から進捗状況表示手段が構成されている。
【００１２】
なお、この実施の形態１では、プロセス管理装置の構成要素である作成依頼受付部３、プロセス情報選択部４、プロセス情報変更部５、プロセス情報変更部６、分岐方向選択部７、進捗状況提示部９及び表示処理部１０が、例えば、ＣＰＵなどを実装している半導体集積回路基板などのハードウェアからそれぞれ構成されているものを想定しているが、プロセス管理装置がコンピュータである場合には、作成依頼受付部３、プロセス情報選択部４、プロセス情報変更部５、プロセス情報変更部６、分岐方向選択部７、進捗状況提示部９及び表示処理部１０の処理内容が記述されているプログラムをコンピュータのメモリに格納し、コンピュータのＣＰＵが当該メモリに格納されているプログラムを実行するようにしてもよい。
図２はこの発明の実施の形態１によるプロセス管理装置の処理内容を示すフローチャートである。
【００１３】
次に動作について説明する。
プロセス情報管理ＤＢ１には、予め、複数のプロセスから構成される各種の業務毎に、各プロセスの実行順序と見積り工数を示すプロセス情報が記憶されるが、各プロセスの実行順序は、優秀な設計者の業務の進め方をベースに最適化されているものとする。
また、各プロセスの見積り工数は、平均的な技術力を有する設計者を基準にして設定されているものとする。
図３は業務Ａと業務Ｂのプロセス情報を示す説明図である。
【００１４】
例えば、ユーザがある業務の日程計画を作成する必要がある場合、マンマシンＩ／Ｆ２を操作して、業務の日程計画の作成依頼を入力する。
作成依頼受付部３は、マンマシンＩ／Ｆ２が日程計画の作成依頼を入力すると、その日程計画の作成依頼の受付処理を実施し（ステップＳＴ１）、表示処理部１０を制御して、日程計画を作成する業務の種別の入力を促すメッセージをディスプレイ１１に表示する。
作成依頼受付部３は、ユーザがマンマシンＩ／Ｆ２を操作して、日程計画を作成する業務の種別を入力すると、その業務の種別をプロセス情報選択部４に出力する。
【００１５】
プロセス情報選択部４は、作成依頼受付部３から日程計画を作成する業務の種別を受けると、プロセス情報管理ＤＢ１に記憶されているプロセス情報の中から、その業務の種別に対応するプロセス情報を選択する（ステップＳＴ２）。
例えば、業務の種別が“テレビ設計”であれば、“テレビ設計”に対応するプロセス情報を選択し、業務の種別が“カーナビゲーション設計”であれば、“カーナビゲーション設計”に対応するプロセス情報を選択する。
プロセス情報選択部４は、業務の種別に対応するプロセス情報を選択すると、図４に示すように、表示処理部１０を制御して、その選択したプロセス情報が示すプロセスの実行順序をディスプレイ１１に表示する。ただし、業務の種別に対応するプロセス情報が複数用意されているような場合には、複数のプロセス情報をディスプレイ１１に表示して、任意のプロセス情報の選択を促すメッセージをディスプレイ１１に表示する。
プロセス情報選択部４は、上記のようにして選択したプロセス情報をプロセス情報変更部５、分岐方向選択部６及び計画設定部７に出力する。
【００１６】
ユーザは、ディスプレイ１１に表示されているプロセスの実行順序を見て、プロセスの実行順序を変更する必要性があると判断すると、マンマシンＩ／Ｆ２を操作して、プロセス情報の変更要求を入力する。
プロセス情報変更部５は、ユーザがマンマシンＩ／Ｆ２を操作して、プロセス情報の変更要求を入力すると（ステップＳＴ３）、プロセス情報選択部４により選択されたプロセス情報の変更を受け付けて、そのプロセス情報を変更する（ステップＳＴ４）。
例えば、ユーザが詳細設計における“コスト検証”の項目が不要であると考えて、“コスト検証”の削除要求を入力すると、プロセス情報変更部５がプロセス情報から“コスト検証”を削除する変更を実施する。
あるいは、ユーザが詳細設計における“回路図作成”の後段に“回路図検証”の項目を追加する必要があると考えて、“回路図検証”の追加要求を入力すると、プロセス情報変更部５がプロセス情報に“回路図検証”を追加する変更を実施する。
あるいは、ユーザが詳細設計における“回路図作成”の代わりに、“プログラム作成”の項目を追加する必要があると考えて、項目の置換要求を入力すると、プロセス情報変更部５がプロセス情報において、“回路図作成”を“プログラム作成”に置き換える変更を実施する。
【００１７】
分岐方向選択部６は、ディスプレイ１１に表示されているプロセスの実行順序において、プロセスの分岐点が存在する場合、表示処理部１０を制御して、プロセスの分岐方向の選択を促すメッセージをディスプレイ１１に表示する（ステップＳＴ５）。
図４の例では、“映像検証”のプロセスにおいて、画素数が２００万画素である場合と、画素数が１８０万画素である場合とが示されており、いずれかの画素数の選択を促すメッセージをディスプレイ１１に表示する。
分岐方向選択部６は、ユーザがマンマシンＩ／Ｆ２を操作して、プロセスの分岐方向を選択すると、その選択結果にしたがってプロセス情報を設定する（ステップＳＴ６）。
例えば、ユーザが２００万画素を選択すると、プロセス情報から画素数が１８０万画素の場合のプロセスを削除する。
【００１８】
計画設定部７は、プロセス情報選択部４からプロセス情報を受けると、業務の完了期限を越えない条件の下で、そのプロセス情報を参照して、各プロセスの着手日と完了日を示す日程計画を設定する（ステップＳＴ７）。
ただし、プロセス情報変更部５がプロセス情報を変更している場合には、変更後のプロセス情報を参照して、各プロセスの着手日と完了日を示す日程計画を設定し、分岐方向選択部６がプロセスの分岐方向を選択している場合には、選択後のプロセス情報を参照して、各プロセスの着手日と完了日を示す日程計画を設定する。
【００１９】
具体的には、以下のようにして、各プロセスの着手日と完了日を示す日程計画を設定する。
例えば、業務Ａの日程計画の設定依頼を受けている場合において、出来る限り早めに業務を完了させる条件が設定されていれば、図５及び図６に示すように、“回路検討準備”、“主要部品選定”、“回路図作成”、“コスト検証”の各プロセスを前詰めした日程計画を設定する。なお、プロセスの実行期間は、見積り工数に比例した長さに設定する。
一方、業務Ａの日程計画の設定依頼を受けている場合において、業務の完了期限日に業務を完了させる条件が設定されていれば、図７及び図８に示すように、“回路検討準備”、“主要部品選定”、“回路図作成”、“コスト検証”の各プロセスを後詰めした日程計画を設定する。
ただし、計画設定部７は、同一の担当者が複数のプロセスを同一期間中に実行することがないように、各プロセスの着手日と完了日を設定する。したがって、担当者が異なる場合には、複数のプロセスの実行期間が重複している日程計画の設定が可能である。
例えば、“回路検討準備”を実施した後に、“主要部品選定”と“回路図作成”を同時に実施し、その後に“コスト検証”を実施するなどの日程計画を設定することが可能である。
【００２０】
また、業務Ａと業務Ｂの日程計画の作成依頼を受けている場合には、図９及び図１０に示すように、同一の担当者が業務Ａ，Ｂにおけるプロセスを同一期間中に実行することがないように、業務Ａ，Ｂにおける各プロセスの着手日と完了日を設定する
したがって、例えば、業務Ａにおける“回路図作成”の担当者と、業務Ｂにおける“回路検討準備”の担当者が異なるため実行期間が重なっているが、業務Ａにおける“コスト検証”の担当者と、業務Ｂにおける“回路図作成”の担当者が同一であるため実行期間が重ならないように、各プロセスの着手日と完了日を設定している。
【００２１】
計画設定部７は、上記のようにして、各プロセスの着手日と完了日を示す日程計画を設定すると、その日程計画を日程計画管理ＤＢ８に登録するとともに、表示処理部１０を制御して、その日程計画をディスプレイ１１に表示する。
【００２２】
進捗状況提示部９は、ユーザがマンマシンＩ／Ｆ２を操作して、各プロセスの進捗状況を入力すると、各プロセスの進捗状況を日程計画管理ＤＢ８に登録する。
また、進捗状況提示部９は、ユーザがマンマシンＩ／Ｆ２を操作して、各プロセスの進捗状況の表示要求を入力すると、日程計画管理ＤＢ８に登録されている各プロセスの進捗状況を取得し、図１１に示すように、表示処理部１０を制御して、各プロセスの進捗状況をディスプレイ１１に表示する。
【００２３】
以上で明らかなように、この実施の形態１によれば、プロセス情報管理ＤＢ１に記憶されているプロセス情報の中から作成依頼受付部３により作成依頼が受け付けられた業務に対応するプロセス情報を選択するプロセス情報選択部４を設け、業務の完了期限を越えない条件の下で、そのプロセス情報選択部４により選択されたプロセス情報を参照して各プロセスの着手日と完了日を設定するように構成したので、業務における各プロセスの着手日と完了日を最適化して、業務の生産性を高めることができる効果を奏する。
【００２４】
また、この実施の形態１によれば、同一の担当者が複数のプロセスを同一期間中に実行することがないように、各プロセスの着手日と完了日を設定するように構成したので、複数のプロセスを同一人が担当する場合でも、実行可能な日程計画を設定することができる効果を奏する。
この実施の形態１によれば、作成依頼受付部３により業務Ａ，Ｂの日程計画の作成依頼が受け付けられた場合、同一の担当者が業務Ａ，Ｂにおけるプロセスを同一期間中に実行することがないように、業務Ａ，Ｂにおける各プロセスの着手日と完了日を設定するように構成したので、業務Ａ，Ｂにおける複数のプロセスを同一人が担当する場合でも、実行可能な日程計画を設定することができる効果を奏する。
【００２５】
また、この実施の形態１によれば、プロセス情報選択部４により選択されたプロセス情報の変更を受け付けるように構成したので、日程計画を設定する業務と完全に対応するプロセス情報がプロセス情報管理ＤＢ１に記憶されていない場合でも、業務の日程計画を設定することができる効果を奏する。
この実施の形態１によれば、プロセス情報選択部４により選択されたプロセス情報にプロセスの分岐点が含まれている場合、その分岐点におけるプロセスの分岐方向の選択を受け付けるように構成したので、複数の業務に対応するプロセス情報をプロセス情報管理ＤＢ１に登録しておくことが可能になる効果がある。
また、この実施の形態１によれば、計画設定部７により着手日と完了日が設定された各プロセスの進捗状況を表示するように構成したので、各プロセスの進捗状況を容易に確認することができる効果を奏する。
【００２６】
実施の形態２．
上記実施の形態１では、計画設定部７がプロセス情報選択部４からプロセス情報を受けると、業務の完了期限（最終プロセスの完了期限）を越えない条件の下で、そのプロセス情報を参照して、各プロセスの着手日と完了日を示す日程計画を設定するものについて示したが、業務を構成するプロセス毎に完了期限が設定されている場合、各プロセスの完了期限を越えない条件の下で、各プロセスの着手日と完了日を示す日程計画を設定するようにしてもよい。
これにより、日程計画を木目細かく設定することができる効果を奏する。
【００２７】
実施の形態３．
上記実施の形態１では、計画設定部７がプロセス情報選択部４からプロセス情報を受けると、プロセス情報が示す見積り工数を参照して、各プロセスの着手日と完了日を示す日程計画を設定するものについて示したが、即ち、プロセスの実行期間を見積り工数に比例した長さに設定するものについて示したが、さらに、担当者の技術レベルを考慮して、各プロセスの着手日と完了日を設定するようにしてもよい。
【００２８】
具体的には、次のようにして各プロセスの着手日と完了日を設定する。
計画設定部７は、プロセスの実行期間を見積り工数に比例した長さに設定したのち、担当者の技術レベルに応じた係数（例えば、技術レベルがＡ→係数＝０．８、技術レベルがＢ→係数＝１．０、技術レベルがＣ→係数＝１．２）を当該プロセスの実行期間に乗算し、プロセスの着手日に乗算後のプロセスの実行期間を加算して完了日を決定するようにする。
【００２９】
以上で明らかなように、この実施の形態３によれば、担当者の技術レベルを考慮して、各プロセスの着手日と完了日を設定するように構成したので、技術レベルが異なる担当者が業務に携わる場合でも、適正な日程計画を設定することができる効果を奏する。
【００３０】
実施の形態４．
上記実施の形態１〜３では、プロセス情報選択部４がプロセス情報管理ＤＢ１に記憶されているプロセス情報の中からプロセス情報を１つ選択すると、計画設定部７が当該プロセス情報を参照して、各プロセスの着手日と完了日を設定するものについて示したが、プロセス情報選択部４がプロセス情報管理ＤＢ１に記憶されているプロセス情報の中から複数のプロセス情報を選択し、計画設定部７が複数のプロセス情報を参照して、各プロセスの着手日と完了日を設定するようにしてもよい。
【００３１】
例えば、業務のプロセスが、例えば、機構設計と回路設計に大別されるような場合、機構設計毎のプロセス情報がプロセス情報管理ＤＢ１に記憶され、回路設計毎のプロセス情報がプロセス情報管理ＤＢ１に記憶される場合がある。
このような場合、プロセス情報選択部４がプロセス情報管理ＤＢ１に記憶されているプロセス情報の中から、機構設計のプロセス情報と回路設計のプロセス情報を選択する。
計画設定部７は、プロセス情報選択部４が機構設計のプロセス情報と回路設計のプロセス情報を選択すると、双方のプロセス情報を参照して、各プロセスの着手日と完了日を設定する。
【００３２】
以上で明らかなように、この実施の形態４によれば、プロセス情報選択部４がプロセス情報管理ＤＢ１に記憶されているプロセス情報の中から複数のプロセス情報を選択し、計画設定部７が複数のプロセス情報を参照して、各プロセスの着手日と完了日を設定するように構成したので、業務のプロセス情報が分割されてプロセス情報管理ＤＢ１に記憶されているような場合でも、適正な日程計画を設定することができる効果を奏する。
【００３３】
実施の形態５．
上記実施の形態１〜４では、計画設定部７が日程計画の設定条件に応じて、各プロセスを前詰めした日程計画を設定する場合や、各プロセスを後詰めした日程計画を設定する場合を例示したが、計画設定部７が複数の日程計画の設定案を提示し（例えば、各プロセスを前詰めした日程計画の案と、各プロセスを後詰めした日程計画の案を提示する）、所望の設定案の選択を受け付けるようにしてもよい。
【００３４】
具体的には、計画設定部７は、日程計画の設定条件として、例えば、（１）出来る限り早めに業務を完了させる条件と、（２）業務の完了期限日に業務を完了させる条件とが設定されている場合、（１）の条件にしたがって、各プロセスを前詰めした日程計画案を作成するとともに、（２）の条件にしたがって、各プロセスを後詰めした日程計画案を作成する。
計画設定部７は、２つの日程計画案を作成すると、表示処理部１０を制御して、２つの日程計画案をディスプレイ１１に表示して、いずれかの日程計画案の選択を促すメッセージをディスプレイ１１に表示する。
計画設定部７は、ユーザがマンマシンＩ／Ｆ２を操作して、いずれかの日程計画案を選択すると、その選択された日程計画案を最終的な日程計画として日程計画管理ＤＢ８に登録する。
【００３５】
以上で明らかなように、この実施の形態５によれば、各プロセスの着手日と完了日の設定案を複数通り提示し、所望の設定案の選択を受け付けるように構成したので、ユーザの意思を尊重した日程計画を設定することができる効果を奏する。
【００３６】
実施の形態６．
上記実施の形態１では、計画設定部７がプロセス情報選択部４からプロセス情報を受けると、例えば、業務Ａにおける各プロセスの着手日と完了日を示す日程計画を設定するものについて示したが、その日程計画の実行開始前に他の業務Ｂの日程計画の設定依頼を受けた場合、その設定した業務Ａの日程計画を破棄して、業務Ａ，Ｂの日程計画を設定するようにしてもよい。業務Ａ，Ｂの日程計画の設定方法は、上記実施の形態１と同様であるため説明を省略する。
また、業務Ａの日程計画の実行開始前に、プロセス情報変更部５が業務Ａを構成するプロセスの変更要求を受けた場合、プロセス情報変更部５が計画設定部７により設定された業務Ａの日程計画を破棄して、業務Ａに対応するプロセス情報を変更し（プロセスの削除、追加又は変更）、計画設定部７が変更後のプロセス情報を参照して、業務Ａの日程計画を再設定するようにしてもよい。
【００３７】
なお、業務Ａの日程計画を実行している途中で、他の業務Ｂの日程計画の設定依頼を受けた場合や、業務Ａを構成するプロセスの変更要求を受けた場合には、業務Ａにおける各プロセスのうち、まだ実行していないプロセスについて、再度、着手日と完了日を設定するようにする。
【００３８】
以上で明らかなように、この実施の形態６によれば、業務の日程計画の再設定を受け付けるように構成したので、業務の日程計画が設定された後に、他の業務の依頼を受けたり、業務を構成するプロセスが変更されたりしたような場合に対処することができる効果を奏する。
【図面の簡単な説明】
【００３９】
【図１】この発明の実施の形態１によるプロセス管理装置を示す構成図である。
【図２】この発明の実施の形態１によるプロセス管理装置の処理内容を示すフローチャートである。
【図３】業務Ａと業務Ｂのプロセス情報を示す説明図である。
【図４】プロセスの実行順序を示す説明図である。
【図５】各プロセスの着手日と完了日を示す表図である。
【図６】各プロセスの着手日と完了日を示すグラフ図である。
【図７】各プロセスの着手日と完了日を示す表図である。
【図８】各プロセスの着手日と完了日を示すグラフ図である。
【図９】各プロセスの着手日と完了日を示す表図である。
【図１０】各プロセスの着手日と完了日を示すグラフ図である。
【図１１】各プロセスの進捗状況を示す説明図である。
【符号の説明】
【００４０】
１  プロセス情報管理ＤＢ（プロセス情報記憶手段）、２  マンマシンＩ／Ｆ、３  作成依頼受付部（作成依頼受付手段）、４  プロセス情報選択部（プロセス情報選択手段）、５  プロセス情報変更部（計画設定手段）、６  分岐方向選択部（計画設定手段）、７  計画設定部（計画設定手段）、８  日程計画管理ＤＢ（計画設定手段）、９  進捗状況提示部（進捗状況表示手段）、１０  表示処理部（進捗状況表示手段）、１１  ディスプレイ（進捗状況表示手段）。
【図１】
2006228123.tif 000003
【図２】
2006228123.tif 000004
【図３】
2006228123.tif 000005
【図４】
2006228123.tif 000006
【図５】
2006228123.tif 000007
【図６】
2006228123.tif 000008
【図７】
2006228123.tif 000009
【図８】
2006228123.tif 000010
【図９】
2006228123.tif 000011
【図１０】
2006228123.tif 000012
【図１１】
2006228123.tif 000013